(57)【要約】【課題】識別情報表示部が易破断線を介してプリント基板本体と連続する遊技機用基板ユニットにあって、易破断線の破断による識別情報表示部の分離が容易であり、かつ、振動や衝撃によって易破断線が破断し難い構成を提供する。【解決手段】プリント基板１５の外周部に、プリント基板本体２０と易破断線２７を介して分離可能に連続する１つの識別情報表示部１９ｂと、他の識別情報表示部が易破断線でプリント基板本体２０から分離されてなる切欠部２８とを配設する。そして、プリント基板本体２０と、前記１つの識別情報表示部１９ｂの間の易破断線２７を、易破断線２７に沿って間隔をおいて貫通部５０ａ，５０ｂを形成してなるミシン目状にするとともに、貫通部５０ａ，５０ｂの一部又は全部にはんだ合金５２を充填する。【選択図】図１２
2020185334.tif 000002
【特許請求の範囲】
【請求項１】
プリント基板に電子部品を実装してなる制御基板と、前記制御基板を収容する基板ケースとを備え、遊技機に装着される遊技機用基板ユニットであって、
前記プリント基板の外周部には、
識別情報が付された、プリント基板本体と易破断線を介して分離可能に連続する１つの識別情報表示部と、
前記識別情報表示部と異なる識別情報が付された他の識別情報表示部が、易破断線で前記プリント基板本体から分離されてなる切欠部と
が配設されており、
前記プリント基板本体と前記１つの識別情報表示部の間の前記易破断線は、前記プリント基板を貫通する貫通部を、前記易破断線に沿って間隔をおいて形成してなるミシン目状をなしており、
前記貫通部の一部又は全部に、はんだ合金が充填されていることを特徴とする遊技機用基板ユニット。
【請求項２】
はんだ合金が充填された前記貫通部の内側面は、前記プリント基板の回路配線と同じ導電金属で被覆されており、
前記貫通部の内側面を被覆する導電金属は、前記プリント基板の回路配線を構成しないことを特徴とする請求項１に記載の遊技機用基板ユニット。
【請求項３】
前記１つの識別情報表示部の一部が、前記プリント基板の回路配線と同じ導電金属で被覆されており、
前記１つの識別情報表示部を被覆する導電金属は、前記プリント基板の回路配線を構成しないことを特徴とする請求項１又は請求項２に記載の遊技機用基板ユニット。
【請求項４】
前記１つの識別情報表示部は、該識別情報表示部の一側縁に設けられた直線状の易破断線を介してのみ、前記プリント基板本体と連続しており、
前記１つの識別情報表示部は前記基板ケースに支持されておらず、
前記基板ケースは、前記直線上の易破断線、及び／又は識別情報表示部に沿って前記プリント基板本体と当接し、前記プリント基板本体を支持するリブを備えることを特徴とする請求項１乃至請求項３のいずれか１項に記載の遊技機用基板ユニット。
【発明の詳細な説明】
【技術分野】
【０００１】
本発明は、制御基板と、前記制御基板を収容する基板ケースとを備え、遊技機に装着される遊技機用基板ユニットに関する。
【背景技術】
【０００２】
遊技機用の制御基板は、不正防止の観点から開放困難な基板ケースに収容されてユニット化された状態で遊技機に装着される。また、かかる制御基板には、少なくともメーカー毎に異なる識別情報がプリント基板に付されている。ここで、従来の制御基板の中には、識別情報が付される識別情報表示部が、易破断線を介してプリント基板本体から分離可能となっているものがある。これは、コスト削減のために、プリント基板を複数のメーカーで共用するための構成である（特許文献１参照）。すなわち、特許文献１のように、プリント基板の製造段階で、相異なるメーカーの識別情報を付した複数の識別情報表示部を配設しておき、実際に基板ユニットを装着する遊技機のメーカーの識別情報表示部を残し、その他のメーカーの識別情報表示部は易破断線で分離するよう構成されている。
【先行技術文献】
【特許文献】
【０００３】
【特許文献１】特開２００６−０６８１１２号公報
【発明の概要】
【発明が解決しようとする課題】
【０００４】
上述のように、プリント基板に複数の識別情報表示部を配設しておき、必要な識別情報表示部以外を分離するよう構成された制御基板は、不要な識別情報表示部を易破断線で容易に分離できるものの、必要な識別情報表示部を、易破断線を介してプリント基板本体と連続させた状態で使用するため、遊技機の運搬時や使用時の振動や衝撃等によって易破断線が破断して、必要な識別情報表示部が切り離されてしまうことが懸念される。必要な識別情報表示部が切り離された場合でも、制御基板の動作に問題は生じないが、不正改造品と紛らわしくなるため、遊技場では使用できなくなる。このような事情から、易破断線の貫通部の間隔を広げて、破断し難くすることが提案される。しかしながら、易破断線が破断し難いものとなると、識別情報表示部を切り離す際に、易破断線以外の部分を傷つけ易くなり、不良率が増大してしまう。また、易破断線が破断し難くなるほど、識別情報表示部を切り離す際の、器具使用の手間やコストが大きくなる。
【０００５】
本発明はかかる現状に鑑みてなされたものであり、識別情報表示部が易破断線を介してプリント基板本体と連続する遊技機用基板ユニットにあって、易破断線の破断による識別情報表示部の分離が容易であり、かつ、振動や衝撃によって易破断線が破断し難い構成の提供を目的とする。
【課題を解決するための手段】
【０００６】
本件第一の発明は、プリント基板に電子部品を実装してなる制御基板と、前記制御基板を収容する基板ケースとを備え、遊技機に装着される遊技機用基板ユニットであって、前記プリント基板の外周部には、識別情報が付された、プリント基板本体と易破断線を介して分離可能に連続する１つの識別情報表示部と、前記識別情報表示部と異なる識別情報が付された他の識別情報表示部が、易破断線で前記プリント基板本体から分離されてなる切欠部とが配設されており、前記プリント基板本体と前記１つの識別情報表示部の間の前記易破断線は、前記プリント基板を貫通する貫通部を、前記易破断線に沿って間隔をおいて形成してなるミシン目状をなしており、前記貫通部の一部又は全部に、はんだ合金が充填されていることを特徴とする遊技機用基板ユニットである。
【０００７】
はんだ合金は、常温でクリープ特性や応力緩和性を示す低融点金属であり、瞬間的に加わる負荷に対しては強い応力を生じるが、持続的な負荷を加えた際には、応力が低下するため、容易に変形させることができる。このため、かかる構成にあっては、輸送時や使用時の振動や衝撃等により、プリント基板の易破断線に強い負荷が一時的に加わった場合に、貫通部に充填されたはんだ合金が負荷に対して強い応力を生じることとなるため、従来構成に比べて、振動や衝撃等による易破断線の破断を防止できる。一方で、かかる構成にあっては、プリント基板を易破断線で折り曲げて、易破断線に強い負荷を持続的に加えた場合には、はんだ合金の応力は低下するため、易破断線の貫通部以外の部分に応力を集中させて、易破断線でプリント基板を破断することができる。
【０００８】
このように、本発明にあっては、易破断線が振動や衝撃等では破断し難く、折り曲げによっては破断し易いものとなるため、不要な識別情報表示部は容易に分離でき、必要な識別情報表示部は振動や衝撃等で分離され難いという利点がある。また、本発明にあっては、貫通部へのはんだ合金の充填は、プリント基板に電子部品をはんだ付けする工程において、はんだ付けで使用する機器を用いて行うことができるから、本発明は少ない手間とコストで実現できるという利点がある。
【０００９】
本件第一の発明にあって、はんだ合金が充填された前記貫通部の内側面は、前記プリント基板の回路配線と同じ導電金属で被覆されており、前記貫通部の内側面を被覆する導電金属は、前記プリント基板の回路配線を構成しないことが提案される。
【００１０】
かかる構成によれば、貫通部に充填するはんだ合金を、プリント基板に強く接合させることが可能となる。また、貫通部の内側面の被覆は、プリント基板に回路配線を形成する工程において、回路配線の形成と同時に行うことができるから、少ない手間とコストで実現可能である。また、易破断線の貫通部には、プリント基板本体に比べて強い負荷がかかり易いが、貫通部の内側面を被覆する導電金属は回路配線を構成しないため、破損した場合でもプリント基板の回路配線に問題は生じない。
【００１１】
また、本件第一の発明にあって、前記１つの識別情報表示部の一部が、前記プリント基板の回路配線と同じ導電金属で被覆されており、前記１つの識別情報表示部を被覆する導電金属は、前記プリント基板の回路配線を構成しないことが提案される。
【００１２】
かかる構成によれば、識別情報表示部を被覆する導電金属によって、識別情報表示部が補強されるため、外部からの振動や衝撃により識別情報表示部が変形するのを防止できる。なお、識別情報表示部の被覆は、プリント基板に回路配線を形成する工程において、回路配線の形成と同時に行うことができるから、少ない手間とコストで実現できる。また、識別情報表示部の被覆は回路配線を構成しないため、破損した場合でもプリント基板の回路配線に問題は生じない。
【００１３】
また、本件第一の発明にあって、前記１つの識別情報表示部は、該識別情報表示部の一側縁に設けられた直線状の易破断線を介してのみ、前記プリント基板本体と連続しており、前記１つの識別情報表示部は前記基板ケースに支持されておらず、前記基板ケースは、前記直線上の易破断線、及び／又は識別情報表示部に沿って前記プリント基板本体と当接し、前記プリント基板本体を支持するリブを備えることが提案される。
【００１４】
プリント基板本体と識別情報表示部の双方を基板ケースで支持した場合、外部からの振動や衝撃により両側の支持部に異なる荷重が加わった際に、両者の間の易破断線に比較的強い負荷が加わったり、識別情報表示部が振動して基板ケースに接触し、破損してしまったりすることが懸念されるが、かかる構成では、基板ケースは識別情報表示部側を支持しないため、基板ケース外部から振動や衝撃が加わった際に、易破断線に加わる負荷を軽減できるし、振動した識別情報表示部が基板ケースと接触して破損することもない。また、かかる構成では、プリント基板本体を、易破断線や識別情報表示部に沿って支持するため、識別情報表示部を直接支持していなくても、識別情報表示部の振動を最小限に抑えて、易破断線に加わる負荷を最低限に留めることができる。
【００１５】
本件第二の発明は、プリント基板に電子部品を実装してなる制御基板と、前記制御基板を収容する透明な基板ケースとを備え、遊技機に装着される遊技機用基板ユニットであって、前記プリント基板の外周部には、識別情報が付された、プリント基板本体と易破断線を介して分離可能に連続する１つの識別情報表示部と、前記識別情報表示部と異なる識別情報が付された他の識別情報表示部が、前記プリント基板本体から分離されてなる、コ字状又はＬ字状の切欠部とが配設されており、前記基板ケースの、前記制御基板を収容する領域は、前記他の識別情報表示部に対応する領域が空隙となっており、前記プリント基板の一面には、前記切欠部の近傍にソケットが実装され、前記ソケットに制御用チップが取り付けられており、前記プリント基板の前記一面の裏側から、前記切欠部を通して前記ソケット及び／又は前記制御用チップを視認可能であることを特徴とする遊技機用基板ユニットである。
【００１６】
かかる構成にあっては、制御用チップやソケットを裏側（斜め方向）からも視認可能となって、制御用チップやソケットの視認性が向上するため、制御用チップとソケットの間に配設された不正部品を発見し易くなる。ここで、プリント基板に形成される切欠部は、複数の識別情報表示部を具備する従来の制御基板にあって、不要な識別情報表示部を切り離した後に必然的に形成されるものであるため、本発明では、制御用チップやソケットの視認性を向上させるために、プリント基板に新規の切欠部を形成する手間は不要である。また、かかる制御基板を収容する既存の基板ケースの内部空間は、どの識別情報表示部を残す場合でも制御基板を収容し得るように、全ての識別情報表示部を収容可能な形状に設計されており、既存の基板ケースの内部空間においても、分離した識別情報表示部に対応する領域、すなわち、切欠部が形成される領域が空隙となっている。このため、本発明は、既存の基板ケースの内部空間を拡大することなく実現できるという利点がある。
【００１７】
本件第二の発明にあって、前記１つの識別情報表示部は、前記切欠部と隣り合うように配設されており、前記ソケットは、前記１つの識別情報表示部と前記切欠部の境界近傍に配設されており、前記１つの識別情報表示部を前記プリント基板本体から分離した時に形成される切り欠きを通して、前記プリント基板の前記一面の裏側から、前記ソケット及び／又は前記制御用チップを視認可能となっていることが提案される。
【００１８】
かかる構成にあっては、プリント基板に予め配設された複数の識別情報表示部の、いずれを残す場合であっても、その他の識別情報表示部を切り離した後に形成される切り欠きから、ソケット及び／又は制御用チップを視認可能となる。すなわち、かかる構成にあっては、どの識別情報表示部を残す場合でも、制御用チップやソケットの視認性を向上させることができるため、利便性が向上する。
【００１９】
また、本件第二の発明にあって、前記基板ケースの開放時に痕跡が残るよう構成された不透明な封印部材が、前記切欠部の近傍に配設されており、前記基板ケースの外側から、前記切欠部を通して前記封印部材を視認可能であることも提案される。
【００２０】
一般的に、封印部材は制御基板の近傍に配設されており、一方向からだけでは、プリント基板が邪魔となって視認しづらい部分があるため、遊技機用基板ユニットの様々な角度から痕跡の有無を確認している。これに対して、かかる構成では、切欠部を通して封印部材を視認できる分だけ、プリント基板が封印部材の痕跡確認の邪魔にならないため、封印部材の痕跡の有無を従来構成よりも容易に確認可能となる。
【図面の簡単な説明】
【００２１】
【図１】スロットマシン１の開放状態を示す斜視図である。
【図２】筐体２の内部構造を示す正面図である。
【図３】基板ユニット６の斜視図である。
【図４】制御基板８の正面図である。
【図５】識別情報表示部１９ａ，１９ｂの分離態様を示す説明図である。
【図６】正面側から見た基板ケース７及び制御基板８の分解斜視図である。
【図７】背面側から見た基板ケース７及び制御基板８の分解斜視図である。
【図８】基板ユニット６の右側部拡大断面図である。
【図９】（ａ）は、比較例の基板ユニット６ａの正面拡大図であり、（ｂ）は実施例の基板ユニット６の正面拡大図である。
【図１０】制御用チップ１８とソケット１７の視認性を、（ａ）比較例の基板ユニット６ａと、（ｂ）実施例の基板ユニット６で比較して示す説明図である。
【図１１】係止ピン４２と封印シール４４の視認性を、（ａ）比較例の基板ユニット６ａと、（ｂ）実施例の基板ユニット６で比較して示す説明図である。
【図１２】識別情報表示部１９ｂの拡大平面図である。
【図１３】図１２中のＡ−Ａ線断面図である。
【図１４】Ｅ字状リブ３０ｂと、プリント基板本体２０の当接部位を示す、識別情報表示部１９ｂの周辺部の拡大平面図である。
【発明を実施するための形態】
【００２２】
本発明の実施形態を、以下の実施例に従って説明する。なお、下記実施例において、本発明に係る封印部材は、ロック部材１２と封印シール４４に相当する。
【００２３】
図１は、本実施例の遊技機用基板ユニット６（以下、基板ユニットとも言う。）を備えるスロットマシン１である。図１に示すように、スロットマシン１の筐体２は前方に開放しており、前方から前扉３によって覆われている。また、筐体２の中央部には三つのリール４が設けられ、前扉３の中央部には、リール４を視認するための視認窓５が設けられる。そして、本実施例の基板ユニット６は、筐体２の内部の、リール４の上方に装着される。
【００２４】
本実施例の基板ユニット６は、制御基板８を基板ケース７に収容してなるものである。図２，３に示すように、基板ユニット６は、屈曲した金属片からなる一対の取付金具９ａ，９ｂを備え、筐体２の背面側を覆う背板２ａに取付金具９ａ，９ｂが螺子１４で固定され、制御基板８を収容した基板ケース７が取付金具９ａ，９ｂに取り付けられる。ここで、左側の取付金具９ａと基板ケース７は、螺子１４で締結される。一方、右側の取付金具９ｂは、基板ケース７のスリット３８（図７参照）に差し込んだ状態で、後述するロック部材１２を貫通孔９ｃに挿通することによって、基板ケース７に係止される。また、各取付金具９ａ，９ｂを背板２ａに固定する螺子１４は、基板ケース７によって覆われることとなるため、基板ケース７の装着状態では、取付金具９ａ，９ｂは背板２ａから取り外し不能となる。なお、以下では、図２中の手前側を基板ユニット６、基板ケース７、及び制御基板８の正面側とし、図２中の上下、左右を、基板ユニット６、基板ケース７、及び制御基板８の上下、左右として説明する。
【００２５】
基板ユニット６を構成する制御基板８は、スロットマシン１の遊技を統括的に制御するメイン制御基板である。かかる制御基板８は、図４に示すように、横長矩形状のプリント基板１５の正面側に、ソケット１７やコネクタ１６ａ，１６ｂなどの電子部品を実装してなるものであり、ソケット１７には制御用チップ１８が脱着可能に装着される。なお、図４では、図示を省略しているが、プリント基板１５の正面側には、銅箔からなる回路配線が配設され、絶縁被覆（ソルダレジスト）で覆われている。また、図示は省略しているが、プリント基板１５の正面側には、ソケット１７やコネクタ１６ａ，１６ｂ以外にも、多数の電子部品（コンデンサや抵抗など）が実装され、プリント基板１５には、各電子部品を実装するためのスルーホールも形成されている。また、プリント基板１５の中央部には、プリント基板１５を基板ケース７に固定するためのネジ貫通孔２２が形成されている。
【００２６】
図４に示すように、本実施例の制御基板８のプリント基板１５の右側縁には、識別情報が正面側に付された矩形状の識別情報表示部１９ｂが配設される。識別情報は、スロットマシン１の製造会社名（ＥＦＧ社）と型番（Ｈ−５６７８）とで構成されており、シルク印刷によって印字される。識別情報表示部１９ｂと、プリント基板本体２０は、上下の境界ではスリット２９で完全に分断され、左右の境界ではミシン目状に形成された直線状の易破断線２７を介して連続しており、識別情報表示部１９ｂを指や工具で摘まんで折り曲げて、易破断線２７を破断することにより、プリント基板本体２０から識別情報表示部１９ｂを分離可能となっている。また、プリント基板１５の右側縁には、識別情報表示部１９ｂと上下に隣り合うように、コ字状の切欠部２８が配設される。この切欠部２８は、プリント基板１５に配設されていたもう１つの識別情報表示部１９ａを、プリント基板本体２０から分離することにより形成されたものである。詳述すると、プリント基板１５の製造時点では、図５（ａ）に示すように、プリント基板１５の正面側の右側縁に、２つの識別情報表示部１９ａ，１９ｂが隣り合うように配設される。２つの識別情報表示部１９ａ，１９ｂは、同じ形状であり、いずれも易破断線２７を介してプリント基板本体２０と分離可能に連続しているが、その正面側には、相異なる識別情報が付されている。かかる２つの識別情報表示部１９ａ，１９ｂは、プリント基板１５を、２つの遊技機製造会社のスロットマシンに使用するための構成である。すなわち、ＥＦＧ社製のスロットマシンに用いる場合は、図５（ｂ）に示すように、ＡＢＣ社の社名と型番が識別情報として付された識別情報表示部１９ａを易破断線２７で分離して、ＥＦＧ社の社名と型番が識別情報として付された識別情報表示部１９ｂを残した状態で使用する。一方、ＡＢＣ社製のスロットマシンに用いる場合は、図５（ｃ）に示すように、ＥＦＧ社の社名と型番が識別情報として付された識別情報表示部１９ｂを易破断線２７で分離して、ＡＢＣ社の社名と型番が識別情報として付された識別情報表示部１９ａを残した状態で使用する。このため、本実施例の基板ユニット６を構成する制御基板８では、１つの識別情報表示部１９ａ，１９ｂがプリント基板本体２０と繋がった状態で残され、残りの識別情報表示部１９ａ，１９ｂがプリント基板本体２０から分離された箇所が、コ字状の切欠部２８となっている。なお、本実施例に係る制御基板８は、ＥＦＧ社の社名と型番が付された識別情報表示部１９ｂをプリント基板１５に残したものを図示している。
【００２７】
基板ケース７は、図６，７に示すように、背面側が開放された矩形箱状のカバー部材１０と、正面側が開放された矩形箱状のベース部材１１とを固定螺子１３で組み付けてなるものであり、カバー部材１０とベース部材１１の組付時に形成される内部空間３２に、制御基板８が収容される。具体的には、カバー部材１０及びベース部材１１は、正面視において、制御基板８よりも一回り大きい横長矩形状をなしており、基板ケース７の内部空間３２は、制御基板８を全て収容可能な直方体形状をなしている。ここで、基板ケース７の内部空間３２は、識別情報表示部１９ａ，１９ｂをプリント基板本体２０から分離する前の大きさの制御基板８を収容可能な大きさを有しており、いずれの識別情報表示部１９ａ，１９ｂを具備する制御基板８も基板ケース７に収容可能となっている。このため、識別情報表示部１９ａを分離した制御基板８を収容する基板ケース７の内部空間３２では、分離した識別情報表示部１９ａに対応する領域、すなわち切欠部２８に対応する領域が、何も収容されない空隙となっている。
【００２８】
カバー部材１０及びベース部材１１は、透明樹脂からなる成形品であり、カバー部材１０とベース部材１１を透して基板ケース７の内部を視認できるよう構成されている。図３，６に示すように、カバー部材１０にはコネクタ開口部２３が形成されており、基板ケース７に制御基板８を収容した状態では、制御基板８に実装されたコネクタ１６ａ，１６ｂのみがコネクタ開口部２３から外部に露出し、制御基板８の、コネクタ１６ａ，１６を除く部分は、カバー部材１０及びベース部材１１によって覆われる。
【００２９】
図６，７に示すように、カバー部材１０の内側面には、背面側に突出して、プリント基板１５の外周部正面側に当接する柱状リブ３０ａとＥ字状リブ３０ｂが形成される。また、図６，７に示すように、カバー部材１０とベース部材１１の内側面には、プリント基板１５の中央部に当接するボス３５，３７が形成される。基板ケース７は、内部空間３２において、これらのリブ３０ａ，３０ｂやボス３５，３７をプリント基板１５に当接させることにより、収容した制御基板８を安定に支持するよう構成される。
【００３０】
制御基板８に対する不正行為を防止するために、基板ケース７に制御基板８を収容した状態で、カバー部材１０とベース部材１１は分離困難に係合する。具体的には、図６，７に示すように、カバー部材１０の左側壁２１ｂの係合孔２４に、ベース部材１１の左側壁３１ｂの係合爪３４を係合させた状態で、右側部の封印構造４０によって両部材１０，１１の右側壁２１ａ，３１ａが係合され、さらに、背面側から固定螺子１３によって両部材１０，１１が相互に締結される。また、図３，６，７に示すように、本実施例では、カバー部材１０とベース部材１１を係合させた状態で、封印シール４４が、基板ケース７の右側部に巻き付けるように貼付される。
【００３１】
封印構造４０は、図３、６，７に示すように、カバー部材１０とベース部材１１の右側壁２１ａ，３１ａに形成された貫通孔２５，３９に、ロック部材１２を挿通することにより、両部材１０，１１の右側壁２１ａ，３１ａを係合させるものである。封印構造４０は、基板ケース７の右側部に４組設けられており、任意の封印構造４０によって、カバー部材１０とベース部材１１の右側壁２１ａ，３１ａを係合可能となっている。ロック部材１２は、矩形板状の操作部４１に係止ピン４２を突成してなる不透明な樹脂部材である。ベース部材１１の右側壁３１ａには、ロック部材保持枠３６が形成されており、ロック部材１２は、係止ピン４２を内側に向けて、ロック部材保持枠３６に保持されている。そして、図８に示すように、かかるロック部材１２の操作部４１を内側に押し込むと、カバー部材１０とベース部材１１の右側壁２１ａ，３１ａを係止ピン４２が貫通し、両部材１０，１１の右側壁２１ａ，３１ａが係止ピン４２によって係合されて、当該封印構造４０により基板ケース７が封印される。
【００３２】
封印構造４０によって基板ケース７が封印されると、カバー部材１０又はベース部材１１に開口部を形成しなければ、基板ケース７を開放できない。返しが形成された係止ピン４２を両部材１０，１１の右側壁２１ａ，３１ａから抜き取るのは困難であり、基板ケース７の内部に切断用工具を挿入して、基板ケース７の内部で係止ピン４２を切断しなければ、カバー部材１０とベース部材１１の係合を解除できないためである。このため、本実施例では、図６に示すように、カバー部材１０の、各封印構造４０の正面側部分に、切断用工具挿入用の開口部を容易に形成可能な矩形状の薄肉部２６が設けられている。
【００３３】
また、封印シール４４は、特徴的な図柄が印刷された不透明なリボン状の粘着シートであり、図３，８に示すように、基板ケース７の右側部に巻き付けるように貼付される。この時、封印シール４４は、カバー部材１０とベース部材１１の境界に跨がるように貼付され、また、カバー部材１０の薄肉部２６を覆うように貼付される。このため、本実施例にあっては、封印シール４４を破損せずに基板ケース７を開放することはできず、また、封印シール４４を破らなければ、薄肉部２６に開口を形成できないよう構成される。なお、封印シール４４は、基板ケース７に強固に接着されるとともに、破損し易いように構成されており、封印シール４４を破損させることなく剥離して、再貼付するのは困難となっている。
【００３４】
このように、本実施例では、基板ケース７は、封印構造４０や封印シール４４によって封印されており、基板ケース７を開放する際には、ロック部材１２の係止ピン４２を切断したり、封印シール４４を破ったりしなくてはならない。すなわち、本実施例では、基板ケース７を開放した際に、係止ピン４２や封印シール４４に開放の痕跡が残ることとなる。このため、本実施例では、係止ピン４２が切断されているか否か、また、封印シール４４が正しく貼付されているか否かをチェックすることにより、基板ケース７が許可なく開放されていないかを確認できる。
【００３５】
以下に、本件第二の発明に係る要部構成について説明する。
上述のように、本実施例の基板ユニット６では、基板ケース７を構成するカバー部材１０及びベース部材１１が透明樹脂で構成されているため、基板ケース７を透して内部の制御基板８への不正行為の有無を、外部からチェック可能となっている。ここで、最も注意すべき不正行為の１つに、制御用チップ１８とソケット１７の間に不正部品を装着する行為がある。以下に述べるように、本実施例では、かかる不正行為の有無を、従来構成に比べて容易に確認し得るよう構成されている。
【００３６】
本実施例では、図４に示すように、プリント基板１５の正面側において、右側縁の切欠部２８の近傍にソケット１７が実装されて、該ソケット１７の上に制御用チップ１８が取り付けられている。具体的には、ソケット１７及び制御用チップ１８は、識別情報表示部１９ｂと切欠部２８が上下に隣り合う境界部分の左側に隣接するよう配置される。このように、本実施例では、ソケット１７と制御用チップ１８が切欠部２８に隣接するように配置されており、また、基板ケース７の、切欠部２８に対応する領域は空隙となっているため、本実施例の基板ユニット６では、制御基板８の裏側から、切欠部２８を通してソケット１７及び制御用チップ１８を視認できる。
【００３７】
詳述すると、図９（ａ）に示すように、ソケット１７や制御用チップ１８の近傍に切欠部２８が形成されていない基板ユニット６ａの場合は、図１０（ａ）に示すように、不透明なプリント基板１５が邪魔となるため、ソケット１７や制御用チップ１８を基板ユニット６ａの正面側（図中上方）からしか視認できない。これに対して、図９（ｂ）に示すように、本実施例では、ソケット１７や制御用チップ１８の近傍に切欠部２８が形成されているため、図１０（ｂ）に示すように、基板ユニット６の裏側（図中下方）から、切欠部２８を通してソケット１７や制御用チップ１８、またはその周辺の領域を視認可能となっている。
【００３８】
このように、本実施例にあっては、ソケット１７や制御用チップ１８を切欠部２８と近接させることで、プリント基板１５の裏側（斜め裏側）からもソケット１７や制御用チップ１８を視認できるため、従来構成に比べて、ソケット１７や制御用チップ１８の視認性を向上させることができる。このため、本実施例にあっては、従来構成に比べて、ソケット１７と制御用チップ１８の間に配設された不正部品を発見し易くなる。ここで、プリント基板１５に形成される切欠部２８は、複数の識別情報表示部１９ａ，１９ｂを具備するプリント基板１５にあって、不要な識別情報表示部１９ａをプリント基板本体２０から分離した後に必然的に形成されるものである。このため、本実施例では、制御用チップ１８やソケット１７の視認性を向上させるための切欠部をプリント基板１５に新規に形成する手間は不要となる。また、基板ケース７は、いずれの識別情報表示部１９ａ，１９ｂを残す場合でも制御基板８を収容し得るように、全ての識別情報表示部１９ａ，１９ｂを収容可能な形状に設計されるものである。このため、基板ケース７の内部空間３２では、分離した識別情報表示部１９ａに対応する領域、すなわち、切欠部２８が形成される領域は、必然的に空隙となる。したがって、本実施例では、制御用チップ１８やソケット１７の視認性を向上させるために、基板ケース７の内部空間３２を拡大することも要しない。
【００３９】
また、本実施例では、ソケット１７及び制御用チップ１８が、分離せずに残した識別情報表示部１９ｂとも隣接するように配置される（図４参照）。このため、本実施例の基板ユニット６は、仮に、プリント基板１５が、分離した識別情報表示部１９ａを残し、残した識別情報表示部１９ｂを分離した構成（図５（ｃ）参照）であっても、他方の識別情報表示部１９ｂを分離した後に形成される切欠部２８を通して、プリント基板１５の裏側からソケット１７及び制御用チップ１８を視認できる。すなわち、本実施例に係る制御基板８は、どちらの識別情報表示部１９ａ，１９ｂを残す場合でも、従来構成に比べて、制御用チップ１８やソケット１７の視認性が向上したものが得られるという利点がある。
【００４０】
また、上述したように、本実施例の基板ユニット６では、基板ケース７の開放時に係止ピン４２や封印シール４４に痕跡が残るよう構成されているため、係止ピン４２や封印シール４４の痕跡の有無をチェックすることで、基板ケース７が許可なく開放されていないかを確認できる。ここで、本実施例では、プリント基板１５の切欠部２８の右脇に、係止ピン４２や封印シール４４が配置されているため、従来構成に比べて、係止ピン４２や封印シール４４の痕跡の有無を容易に確認できる。
【００４１】
詳述すると、図９（ａ）に示すように、係止ピン４２や封印シール４４の近傍に切欠部２８が形成されていない基板ユニット６ａの場合は、図１１（ａ）に示すように、プリント基板１５や、正面側の係止ピン４２、封印シール４４などが邪魔となって、裏側の係止ピン４２や封印シール４４は、正面側（図中上方）からは視認困難となっている。このため、かかる構成では、裏側の係止ピン４２や封印シール４４については、基板ユニット６ａの裏側（図中下方）から視認しなければならない。しかしながら、基板ユニット６ａの裏側はスロットマシン１に装着した状態では視認できないため、基板ユニット６ａを裏側から視認するためには、基板ユニット６ａをスロットマシン１の筐体２から取り外さなくてはならず、確認の手間が大きい。これに対して、図９（ｂ）に示すように、本実施例では、係止ピン４２や封印シール４４の近傍に切欠部２８が形成されているため、図１１（ｂ）に示すように、基板ユニット６の正面側（図中下方）から、切欠部２８を通して、裏側の係止ピン４２や封印シール４４を視認できる。このため、本実施例では、基板ユニット６をスロットマシン１の筐体２から取り外すことなく、表裏両側の係止ピン４２と封印シール４４について、開放痕跡の有無を容易に確認できる。
【００４２】
また、係止ピン４２や封印シール４４の近傍に切欠部２８が形成されていない基板ユニット６ａの場合は、図１１（ａ）に示すように、正面側（図中上方）の係止ピン４２や封印シール４４は裏側（図中下方）から視認し難く、裏側の係止ピン４２や封印シール４４は正面側から視認し難くなっている。これに対して、本実施例では、図１１（ｂ）に示すように、係止ピン４２や封印シール４４の近傍に形成された切欠部２８を通して、裏側から正面側の係止ピン４２や封印シール４４を視認できるし、正面側から裏側の係止ピン４２や封印シール４４を視認できる。基板ケース７が不正に開放された際には、不正行為者が、破損した封印シール４４の上に類似のシールを貼付したり、切断した係止ピン４２を接着剤でくっつけたりして、開放の痕跡を発見され難いものとすることが報告されているが、本実施例では、係止ピン４２や封印シール４４を表裏両側から視認できるため、開放の痕跡が発見し難いものであっても、確実に発見可能となる。
【００４３】
以上に、本件第二の発明に係る要部構成を説明したが、本発明の基板ユニットは、上記実施例の形態に限らず本発明の要旨を逸脱しない範囲内において種々変更を加えることができる。例えば、上記実施例は、スロットマシンのメイン制御基板に係る基板ユニットであるが、本発明は、スロットマシンの他の制御基板（サブ制御基板や画像制御基板等）に係る基板ユニットであってもよいし、他の遊技機（パチンコ機等）に係る基板ユニットであってもよい。
【００４４】
また、本発明に係る識別情報表示部には、遊技機製造会社と型番の少なくとも一方が識別情報として付されていればよい。また、各識別情報表示部に付される識別情報は、少なくとも一部が相違していればよい。また、識別情報表示部に付される識別情報は、文字や数字に限られず、光学的に識別可能なものであれば足りる。具体的には、本発明に係る識別情報は、遊技機製造会社のロゴマーク等の図形であってもよいし、機械に読み取らせるバーコードであってもよい。また、上記実施例では、識別情報表示部１９ａ，１９ｂの識別情報がシルク印刷によって印字されているが、本発明に係る識別情報は、印刷によって識別情報表示部に付されたものに限られない。例えば、本発明に係る識別情報は、識別情報が印刷されたシールの貼付や、レーザーマーキング、回路配線を構成する銅箔によるパターニング等によって、識別情報表示部に付されたものであってもよい。
【００４５】
また、上記実施例では、識別情報表示部を分離するための易破断線２７がミシン目状であったが、本発明に係る易破断線はＶ溝であってもよい。
【００４６】
また、上記実施例に係る識別情報表示部１９ａ，１９ｂは、プリント基板１５の辺縁をコ字状に切り欠いて分離させるものであるが、本発明に係る識別情報表示部は、プリント基板の隅をＬ字状に切り欠いて分離させるものであってもよい。また、上記実施例では、２つの識別情報表示部１９ａ，１９ｂの間に、細幅のプリント基板本体２０が介在しているが、２つの識別情報表示部１９ａ，１９ｂの間にプリント基板本体２０を設けず、直接隣接させるようにしてもよい。
【００４７】
また、上記実施例に係るプリント基板１５は、１辺に２つの識別情報表示部１９ａ，１９ｂが隣り合うように配設されているが、本発明に係るプリント基板は、３つ以上の識別情報表示部が配設されたものであってもよい。基本的に、識別情報表示部は、１つを除いて切り離されるため、仮に、上記実施例に係るプリント基板１５に、第三、第四の識別情報表示部が配設されていたとしても、２つの識別情報表示部１９ａ，１９ｂの少なくとも一方はプリント基板本体２０から分離されて、プリント基板１５に切欠部２８が形成されるためである。
【００４８】
以下に、本件第一の発明に係る要部構成について説明する。
図１２に示すように、本実施例の制御基板８には、識別情報表示部１９ｂが、直線状の易破断線２７を介してプリント基板本体２０と連続している。本実施例にあって、易破断線２７は、プリント基板１５の板材を厚み方向に貫通する貫通部５０ａ，５０ｂを、易破断線２７に沿って間隔をおいて形成してなるミシン目状をなしている。貫通部５０ａ，５０ｂは、円孔状の円形貫通部５０ａと、易破断線２７に沿って長大な溝状をなす長溝貫通部５０ｂとで構成されており、易破断線２７は、２つの円形貫通部５０ａと長溝貫通部５０ｂとを間隔をおいて繰り返してなる構成となっている。
【００４９】
易破断線２７を構成する円形貫通部５０ａは、プリント基板本体２０に形成されるスルーホールと同大の貫通孔であり、図１２，１３に示すように、その内側面は、スルーホールと同様に銅箔５４で被覆されている。さらに、円形貫通部５０ａには、はんだ合金５２が充填される。このはんだ合金は、プリント基板本体２０に実装された電子部品のはんだ付けに使用されているものと同一である。一方、長溝貫通部５０ｂは、円形貫通部５０ａの直径と同じ幅を有する溝状の貫通孔である。この長溝貫通部５０ｂはプリント基板１５の板材を刳り抜いただけのものであり、その内側面は銅箔で被覆されず、内部にはんだ合金も充填されていない。
【００５０】
また、図１２に示すように、識別情報表示部１９ｂの正面側は、上部と下部が直線状の銅箔５５で被覆されている。かかる銅箔５５は、プリント基板本体２０の正面側に回路配線を形成する銅箔と、同じ材料で、同じ厚さに形成されたものであるが、プリント基板１５の回路配線は構成していない。
【００５１】
このように、本実施例では、易破断線２７を構成する円形貫通部５０ａに、はんだ合金５２を充填することにより、識別情報表示部１９ｂを分離する際の易破断線２７の破断し易さと、振動や衝撃による易破断線２７の破断し難さを両立させることができる。これは、はんだ合金５２の特性によるものである。具体的には、はんだ合金５２は、常温でクリープ特性や応力緩和性を示す低融点金属であるため、振動や衝撃等により、易破断線２７に強い負荷が一時的に加わった場合に、円形貫通部５０ａに充填されたはんだ合金５２が負荷に対して強い応力を生じることができ、これにより、振動や衝撃等による易破断線２７の破断を防止できる。一方で、識別情報表示部１９ｂをプリント基板本体２０から分離するために、プリント基板１５を易破断線２７で破断する際には、プリント基板１５を折り曲げる方向に持続的な力を加えるが、円形貫通部５０ａに充填されたはんだ合金５２は、かかる持続的な力に対しては低い応力しか生じないため、易破断線２７でプリント基板１５を比較的容易に破断できる。このように、本実施例では、易破断線２７が振動や衝撃等では破断し難く、折り曲げによっては破断し易いものとなるため、分離すべき識別情報表示部１９ａは比較的容易に分離でき、分離すべきでない識別情報表示部１９ｂは振動や衝撃等で分離され難いという利点を有する。
【００５２】
特に、本実施例では、円形貫通部５０ａの内側面が銅箔５４で被覆されているため、はんだ合金５２をプリント基板１５に強く接合させることができるという利点がある。
【００５３】
また、本実施例の円形貫通部５０ａは、プリント基板本体２０に形成されたスルーホール（図示省略）と同形状であり、また、内側面を被覆する銅箔５４は、スルーホールを被覆する銅箔と同じ材料、同じ厚さであり、さらに、内部に充填されるはんだ合金５２は、スルーホールに電子部品をはんだ付けするのに使用するはんだ合金と同じである。このため、かかる円形貫通部５０ａは、プリント基板１５にスルーホールを形成する工程で形成することができ、また、はんだ合金５２の充填も、プリント基板１５に電子部品をはんだ付けする工程において、はんだ付けで使用する機器を用いて行うことができる。このため、かかる円形貫通部５０ａは、少ない手間とコストで実現できる。
【００５４】
また、上述のように、本実施例では、識別情報表示部１９ｂの上部と下部が、直線状の銅箔５５で被覆されているため、かかる銅箔５５により、識別情報表示部１９ｂを構成する板材を補強して、外部からの振動や衝撃により識別情報表示部１９ｂが変形するのを防止できるという利点がある。また、かかる銅箔５５は、プリント基板１５に回路配線を形成する工程において、回路配線の形成と同時に行うことができるから、少ない手間とコストで実現できる。また、かかる銅箔５５は、回路配線を構成しないため、破損した場合でもプリント基板１５の回路配線に問題は生じない。
【００５５】
また、上述のように、カバー部材１０の内側面には、背面側に突出する柱状リブ３０ａとＥ字状リブ３０ｂが形成されており（図７参照）、これらが、プリント基板１５の外周部正面側に当接することで、基板ケース７の内部空間３２において、制御基板８が安定に支持される。ここで、識別情報表示部１９ｂに関しては、柱状リブ３０ａともＥ字状リブ３０ｂとも当接せず、基板ケース７に直接支持されていない。具体的には、図１４に示すように、Ｅ字状リブ３０ｂが、易破断線２７と識別情報表示部１９ｂの外周に沿ってプリント基板本体２０と当接して、識別情報表示部１９ｂの近傍でプリント基板本体２０を支持することで、識別情報表示部１９ｂが間接的に基板ケース７に支持されている。
【００５６】
このように、基板ケース７で識別情報表示部１９ｂを支持せず、プリント基板本体２０のみを支持すれば、プリント基板本体２０と識別情報表示部１９ｂの双方を基板ケース７で支持する場合に比べて、外部から振動や衝撃が加わった際に、易破断線２７に強い負荷が加わるおそれが軽減するし、振動した識別情報表示部が基板ケースと接触して破損することもなくなる。また、かかる構成では、プリント基板本体２０を、易破断線２７や識別情報表示部１９ｂに沿って支持するため、識別情報表示部１９ｂを直接支持していなくても、識別情報表示部１９ｂの振動を最小限に抑えて、易破断線２７に加わる負荷を最低限に留めることができる。
【００５７】
以上に、本件第一の発明に係る要部構成を説明したが、本発明の基板ユニットは、上記実施例の形態に限らず本発明の要旨を逸脱しない範囲内において種々変更を加えることができる。例えば、上記実施例は、スロットマシンのメイン制御基板に係る基板ユニットであるが、本発明は、スロットマシンの他の制御基板（サブ制御基板や画像制御基板等）に係る基板ユニットであってもよいし、他の遊技機（パチンコ機等）に係る基板ユニットであってもよい。
【００５８】
また、本発明に係る識別情報表示部には、遊技機製造会社と型番の少なくとも一方が識別情報として付されていればよい。また、各識別情報表示部に付される識別情報は、少なくとも一部が相違していればよい。また、識別情報表示部に付される識別情報は、文字や数字に限られず、光学的に識別可能なものであれば足りる。具体的には、本発明に係る識別情報は、遊技機製造会社のロゴマーク等の図形であってもよいし、機械に読み取らせるバーコードであってもよい。また、上記実施例では、識別情報表示部１９ａ，１９ｂの識別情報がシルク印刷によって印字されているが、本発明に係る識別情報は、印刷によって識別情報表示部に付されたものに限られない。例えば、本発明に係る識別情報は、識別情報が印刷されたシールの貼付や、レーザーマーキング、回路配線を構成する銅箔によるパターニング等によって、識別情報表示部に付されたものであってもよい。
【００５９】
また、上記実施例では、易破断線２７が、円形貫通部５０ａと長溝貫通部５０ｂを、易破断線２７に沿って間隔をおいて形成してなるミシン目状をなしていたが、本発明に係る易破断線は、円形貫通部５０ａと長溝貫通部５０ｂの一方のみからなるものであってもよい。また、上記実施例では、全ての円形貫通部５０ａにはんだ合金５２が充填されているが、本発明に係る易破断線は、少なくとも一部の円形貫通部及び／又は長溝貫通部にはんだ合金が充填されていれば足りる。
【００６０】
また、上記実施例に係る識別情報表示部１９ａ，１９ｂは、プリント基板１５の辺縁をコ字状に切り欠いて分離させるものであるが、本発明に係る識別情報表示部は、プリント基板１５の隅をＬ字状に切り欠いて分離させるものであってもよいし、プリント基板１５の一辺全体を切り欠いて分離させるものであってもよい。また、上記実施例では、プリント基板１５の１辺に、識別情報表示部１９ｂと切欠部２８が隣り合うように配設されているが、識別情報表示部１９ｂと切欠部２８は異なる辺に配設されていてもよい。また、本発明に係るプリント基板は、３つ以上の識別情報表示部から１つを残して、その他を分離させるものであってもよい。
【００６１】
また、上記実施例では、識別情報表示部１９ｂの正面側が、直線状の銅箔５５で被覆されているが、銅箔５５の正面形状は適宜変更可能である。また、銅箔５５は、識別情報表示部１９ｂの裏面側（識別情報の印字面の反対側）に形成されていてもよい。また、上記実施例の銅箔５５は、プリント基板１５の正面側に露出させているが、プリント基板１５の回路配線を構成する銅箔と同様に、絶縁被膜（ソルダレジスト）で覆うようにしてもよい。
【００６２】
また、本件第一の発明の変形発明として、易破断線２７をミシン目状でなく、Ｖ溝にして、Ｖ溝の溝部分にはんだ合金を充填することも提案される。かかる構成とした場合にも、Ｖ溝に充填されたはんだ合金５２が、外部から加わる振動や衝撃等に対しては強い応力を生じ、識別情報表示部１９ｂを折り曲げて易破断線で破断させる際には低い応力しか生じないため、分離すべき識別情報表示部１９ａは比較的容易に分離でき、分離すべきでない識別情報表示部１９ｂは振動や衝撃等で分離され難いという効果を奏する。
【００６３】
また、本件第一の発明の変形発明として、易破断線２７の貫通部５０ａ，５０ｂに、はんだ合金５２以外の金属を充填することも提案される。かかる構成とした場合には、貫通部５０ａ，５０ｂに充填された金属が、外部から加わる振動や衝撃等に対して強い応力を生じることで、識別情報表示部１９ｂが振動や衝撃等で分離され難くなる。
【符号の説明】
【００６４】
１  スロットマシン（遊技機）
６  遊技機用基板ユニット
７  基板ケース
８  制御基板
１０  カバー部材
１１  ベース部材
１２  ロック部材（封印部材）
１５  プリント基板
１９ａ，１９ｂ  識別情報表示部
２０  プリント基板本体
２７  易破断線
２８  切欠部
３０ａ  柱状リブ
３０ｂ  Ｅ字状リブ
４０  封印構造
４２  係止ピン
４４  封印シール（封印部材）
５０ａ  円形貫通部
５０ｂ  長溝貫通部
５２  はんだ合金
５４，５５  銅箔
【図１】
2020185334.tif 000003
【図２】
2020185334.tif 000004
【図３】
2020185334.tif 000005
【図４】
2020185334.tif 000006
【図５】
2020185334.tif 000007
【図６】
2020185334.tif 000008
【図７】
2020185334.tif 000009
【図８】
2020185334.tif 000010
【図９】
2020185334.tif 000011
【図１０】
2020185334.tif 000012
【図１１】
2020185334.tif 000013
【図１２】
2020185334.tif 000014
【図１３】
2020185334.tif 000015
【図１４】
2020185334.tif 000016
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
プリント基板に電子部品を実装してなる制御基板と、前記制御基板を収容する基板ケースとを備え、遊技機に装着される遊技機用基板ユニットであって、
前記プリント基板の外周部には、
識別情報が付された、プリント基板本体と易破断線を介して分離可能に連続する１つの識別情報表示部と、
前記識別情報表示部と異なる識別情報が付された他の識別情報表示部が、易破断線で前記プリント基板本体から分離されてなる切欠部と
が配設されており、
前記プリント基板本体と前記１つの識別情報表示部の間の前記易破断線は、前記プリント基板を貫通する貫通部を、前記易破断線に沿って間隔をおいて形成してなるミシン目状をなしており、
前記貫通部の一部又は全部に、はんだ合金が充填されており、
前記１つの識別情報表示部は、該識別情報表示部の一側縁に設けられた直線状の易破断線を介してのみ、前記プリント基板本体と連続しており、
前記１つの識別情報表示部は前記基板ケースに支持されておらず、
前記基板ケースは、前記直線上の易破断線、及び／又は識別情報表示部に沿って前記プリント基板本体と当接し、前記プリント基板本体を支持するリブを備えることを特徴とする遊技機用基板ユニット。
【請求項２】
はんだ合金が充填された前記貫通部の内側面は、前記プリント基板の回路配線と同じ導電金属で被覆されており、
前記貫通部の内側面を被覆する導電金属は、前記プリント基板の回路配線を構成しないことを特徴とする請求項１に記載の遊技機用基板ユニット。
【請求項３】
前記１つの識別情報表示部の一部が、前記プリント基板の回路配線と同じ導電金属で被覆されており、
前記１つの識別情報表示部を被覆する導電金属は、前記プリント基板の回路配線を構成しないことを特徴とする請求項１又は請求項２に記載の遊技機用基板ユニット。
【手続補正２】
【補正対象書類名】明細書
【補正対象項目名】０００６
【補正方法】変更
【補正の内容】
【０００６】
本件第一の発明は、プリント基板に電子部品を実装してなる制御基板と、前記制御基板を収容する基板ケースとを備え、遊技機に装着される遊技機用基板ユニットであって、前記プリント基板の外周部には、識別情報が付された、プリント基板本体と易破断線を介して分離可能に連続する１つの識別情報表示部と、前記識別情報表示部と異なる識別情報が付された他の識別情報表示部が、易破断線で前記プリント基板本体から分離されてなる切欠部とが配設されており、前記プリント基板本体と前記１つの識別情報表示部の間の前記易破断線は、前記プリント基板を貫通する貫通部を、前記易破断線に沿って間隔をおいて形成してなるミシン目状をなしており、前記貫通部の一部又は全部に、はんだ合金が充填されており、前記１つの識別情報表示部は、該識別情報表示部の一側縁に設けられた直線状の易破断線を介してのみ、前記プリント基板本体と連続しており、前記１つの識別情報表示部は前記基板ケースに支持されておらず、前記基板ケースは、前記直線上の易破断線、及び／又は識別情報表示部に沿って前記プリント基板本体と当接し、前記プリント基板本体を支持するリブを備えることを特徴とする遊技機用基板ユニットである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
プリント基板本体と識別情報表示部の双方を基板ケースで支持した場合、外部からの振動や衝撃により両側の支持部に異なる荷重が加わった際に、両者の間の易破断線に比較的強い負荷が加わったり、識別情報表示部が振動して基板ケースに接触し、破損してしまったりすることが懸念されるが、本件第一の発明では、基板ケースは識別情報表示部側を支持しないため、基板ケース外部から振動や衝撃が加わった際に、易破断線に加わる負荷を軽減できるし、振動した識別情報表示部が基板ケースと接触して破損することもない。また、本件第一の発明では、プリント基板本体を、易破断線や識別情報表示部に沿って支持するため、識別情報表示部を直接支持していなくても、識別情報表示部の振動を最小限に抑えて、易破断線に加わる負荷を最低限に留めることができる。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
プリント基板に電子部品を実装してなる制御基板と、前記制御基板を収容する基板ケースとを備え、遊技機に装着される遊技機用基板ユニットであって、
前記プリント基板の外周部には、
識別情報が付された、プリント基板本体と易破断線を介して分離可能に連続する１つの識別情報表示部と、
前記識別情報表示部と異なる識別情報が付された他の識別情報表示部が、易破断線で前記プリント基板本体から分離されてなる切欠部と
が配設されており、
前記プリント基板本体と前記１つの識別情報表示部の間の前記易破断線は、前記プリント基板を貫通する貫通部を、前記易破断線に沿って間隔をおいて形成してなるミシン目状をなしており、
前記貫通部の一部又は全部に、はんだ合金が充填されており、
前記１つの識別情報表示部は、該識別情報表示部の一側縁に設けられた直線状の易破断線を介してのみ、前記プリント基板本体と連続しており、
前記１つの識別情報表示部は前記基板ケースに支持されておらず、
前記基板ケースは、前記直線状の易破断線、及び／又は識別情報表示部に沿って前記プリント基板本体と当接し、前記プリント基板本体を支持するリブを備えることを特徴とする遊技機用基板ユニット。
【請求項２】
はんだ合金が充填された前記貫通部の内側面は、前記プリント基板の回路配線と同じ導電金属で被覆されており、
前記貫通部の内側面を被覆する導電金属は、前記プリント基板の回路配線を構成しないことを特徴とする請求項１に記載の遊技機用基板ユニット。
【請求項３】
前記１つの識別情報表示部の一部が、前記プリント基板の回路配線と同じ導電金属で被覆されており、
前記１つの識別情報表示部を被覆する導電金属は、前記プリント基板の回路配線を構成しないことを特徴とする請求項１又は請求項２に記載の遊技機用基板ユニット。
【手続補正２】
【補正対象書類名】明細書
【補正対象項目名】０００６
【補正方法】変更
【補正の内容】
【０００６】
本件第一の発明は、プリント基板に電子部品を実装してなる制御基板と、前記制御基板を収容する基板ケースとを備え、遊技機に装着される遊技機用基板ユニットであって、前記プリント基板の外周部には、識別情報が付された、プリント基板本体と易破断線を介して分離可能に連続する１つの識別情報表示部と、前記識別情報表示部と異なる識別情報が付された他の識別情報表示部が、易破断線で前記プリント基板本体から分離されてなる切欠部とが配設されており、前記プリント基板本体と前記１つの識別情報表示部の間の前記易破断線は、前記プリント基板を貫通する貫通部を、前記易破断線に沿って間隔をおいて形成してなるミシン目状をなしており、前記貫通部の一部又は全部に、はんだ合金が充填されており、前記１つの識別情報表示部は、該識別情報表示部の一側縁に設けられた直線状の易破断線を介してのみ、前記プリント基板本体と連続しており、前記１つの識別情報表示部は前記基板ケースに支持されておらず、前記基板ケースは、前記直線状の易破断線、及び／又は識別情報表示部に沿って前記プリント基板本体と当接し、前記プリント基板本体を支持するリブを備えることを特徴とする遊技機用基板ユニットである。